(57)【要約】【課題】簡単な構成で、且つ容易な施工により、既設ののり面の排水処理能力を増大させることができる。【解決手段】路面Ｃの排水を排水管路１０を使用してのり尻排水溝２２に排水する排水システム１であって、排水管路１０には、のり尻排水溝２２に合流する排水の合流部Ｐに合流用管路１１が配設され、合流用管路１１の管軸方向は、のり尻排水溝２２内の排水の流れ方向Ｅに対して、上面視で上流から下流に向けて６０度以下の水平流入角度で合流する構成の排水システムを提供する。【選択図】図１
2019124069.tif 000002
【特許請求の範囲】
【請求項１】
路面やのり面の排水を排水管路を使用してのり尻の側溝に排水する排水システムであって、
前記排水管路には、前記のり尻の前記側溝に合流する排水の合流部に合流用管路が配設され、
前記合流用管路の管軸方向は、前記側溝内の排水の流れ方向に対して、上面視で上流から下流に向けて６０度以下の水平流入角度で合流することを特徴とする排水システム。
【請求項２】
前記排水管路の少なくとも一部にサイフォン誘発器が備えられていることを特徴とする請求項１に記載の排水システム。
【請求項３】
前記排水管路の少なくとも一部が地中に埋設されていることを特徴とする請求項１又は２に記載の排水システム。
【請求項４】
前記排水管路は、耐光性を有する樹脂で構成されることを特徴とする請求項１乃至３のいずれか１項に記載の排水システム。
【発明の詳細な説明】
【技術分野】
【０００１】
本発明は、のり面における雨水を排水する排水システムに関する。
【背景技術】
【０００２】
従来、道路建設や宅地造成などに伴う切土や盛土により形成される人工的な斜面であるのり面では、例えば特許文献１に示されるような雨水からのり面を保護するための排水システムが知られている。
【０００３】
特許文献１には、のり面の高さ方向をほぼ水平に区分する小段部が設けられるとともに、その小段部には横排水溝が設けられ、さらに、その横排水溝に交差するように縦排水溝が設けられた構成について記載されている。この場合には、横排水溝よりも上方に位置するのり面に降り注いだ雨水はその横排水溝に受け入れられ、受け入れられた雨水が縦排水溝に導かれてのり面の下方に位置するのり尻の側溝に排出される。
また、特許文献１の排水設備では、縦排水溝の底面勾配をのり面の傾斜に対して小さい下向きの底面勾配又は上向きの底面勾配を付与するジャンプ部を設けた構成となっている。
【先行技術文献】
【特許文献】
【０００４】
【特許文献１】特許第５７７４８９０号公報
【発明の概要】
【発明が解決しようとする課題】
【０００５】
しかしながら、上述した特許文献１に示される従来の排水設備では、縦排水溝にジャンプ部を設ける構成であるため、のり尻の側溝を流れる排水に対して好適な合流角度をもって合流できるとは限らない。すなわち、のり尻の側溝の排水との合流が流れの妨げになる場合があり、場合によっては側溝から排水が溢れ出してしまい、結果的にのり面の排水処理能力が低下するという問題があることから、その点で改善の余地があった。
【０００６】
そこで、本発明は、上記問題点に鑑みてなされたもので、のり尻の側溝内の排水の流れに対して効率よく合流できる構成とすることで、のり面の排水処理能力を向上させることができる排水システムを提供することを目的としている。
【課題を解決するための手段】
【０００７】
本発明に係る排水システムは、上記目的を達成するために、路面やのり面の排水を排水管路を使用してのり尻の側溝に排水する排水システムであって、前記排水管路には、前記のり尻の前記側溝に合流する排水の合流部に合流用管路が配設され、前記合流用管路の管軸方向は、前記側溝内の排水の流れ方向に対して、上面視で上流から下流に向けて６０度以下の水平流入角度で合流することを特徴としている。
【０００８】
本発明に係る排水システムでは、路面やのり面の排水を排水管路を通過させ、のり尻の側溝との合流部に配設された合流用管路を介して排水を前記側溝に効率よく排水することができる。このとき、合流用管路の管軸方向を側溝内の排水の流れ方向に対して、上面視で上流から下流に向けて６０度以下の水平流入角度とすることで、排水管路内の排水が側溝内の排水に対して流れが妨げられることを抑えた効率的な合流となる。すなわち、合流用管路と側溝との合流部において、合流により水位が上がったり、乱流となって側溝から排水が溢れ出してしまうことを防ぐことができる。
また、本発明の排水システムは、配管を主体とした簡単な構成であり、施工する際には従来のようなＵ字溝等の重量物を運搬する作業が不要となり、容易に、かつ低コストで施工を行うことができる。
【０００９】
また、本発明に係る排水システムは、前記排水管路の少なくとも一部にサイフォン誘発器が備えられていることが好ましい。
【００１０】
このような構成とすることで、路面やのり面の排水をサイフォン誘発器を接続した排水管路を用いてサイフォン作用により効率よくのり尻の側溝に排水することができる。つまり、本発明では、サイフォン誘発器として、例えば排水管路の内面に突起を設けたり、内面を縮径することによってサイフォン現象を起こすものを採用でき、このようなサイフォン式の排水管路内でサイフォン現象を発生させることにより、管内を自然流下させて排水するときよりも高流速にでき、排水処理能力を増加させて効率よく排水することができる。これにより、豪雨の場合であってものり面の小段部に設けられている横排水溝から雨水が溢れ出ることがなく、雨水がのり面に浸透することを効果的に抑制することができる。
さらに、本発明では、サイフォン式の排水管を採用することで、排水を高流速化し、排水管路の口径を小さくしても排水処理量を得ることができる利点もある。
【００１１】
また、本発明に係る排水システムは、前記排水管路の少なくとも一部が地中に埋設されていることを特徴としてもよい。
【００１２】
本発明に係る排水システムでは、排水管路のうち地上に配置される部分を少なくすることができるため、地上で排水管路を支持する支持具やこの支持具を固定する基礎等の支持構造を簡単にすることができ、あるいは省略することができる。
さらに、本発明では、地中に埋設される部分の排水管路を紫外線から保護することでき、排水管路の耐久性を向上させることが可能となる。
【００１３】
また、本発明に係る排水システムは、前記排水管路は、耐光性を有する樹脂で構成されることを特徴としている。
【００１４】
本発明に係る排水システムでは、排水管路を屋外で長期にわたって使用することが可能となり、排水管路を地表面に設置することができる。そのため、地中に埋設する場合に比べてのり面における掘削作業を減らすことができ、施工を容易に行うことができる。
【発明の効果】
【００１５】
本発明の排水システムによれば、のり尻の側溝内の排水の流れに対して効率よく合流できる構成とすることで、側溝から排水が溢れ出してしまうおそれを減らし、のり面の排水処理能力を向上させることができる。
【図面の簡単な説明】
【００１６】
【図１】本発明の第１の実施の形態による排水システムを模式的に示した斜視図である。
【図２】図１に示す排水システムのサイフォン誘発器の構成を示す縦断面図である。
【図３】他のサイフォン誘発器の構成を示す縦断面図である。
【図４】合流用管路の構成を示す斜視図である。
【図５】のり尻排水溝との合流部における合流用管路の一例を示す図であって、（ａ）は上面図、（ｂ）は側面図である。
【図６】のり尻排水溝との合流部における合流用管路の他の例を示す図であって、（ａ）は上面図、（ｂ）は側面図である。
【図７】本発明の第２の実施の形態による排水システムを模式的に示した斜視図である。
【図８】本発明の第３の実施の形態による排水システムを模式的に示した斜視図である。
【図９】図８に示す排水システムのサイフォン誘発器の構成を示す縦断面図である。
【図１０】本発明の第４の実施の形態による排水システムを模式的に示した斜視図である。
【図１１】実施例による第１試験の試験状態を示す斜視図である。
【図１２】実施例による第１試験の水平流入角度θ１を変える状態を示した上面図である。
【図１３】実施例による第１試験で水平流入角度θ１を変えたときの様々な状態を示す上面図である。
【図１４】実施例による第２試験の上下流入角度θ２を変える状態を示した側面図である。
【図１５】実施例による第２試験で上下流入角度θ２を変えたときの様々な状態を示す側面図である。
【発明を実施するための形態】
【００１７】
以下、本発明による実施の形態の排水システムについて、図面に基づいて詳細に説明する。
【００１８】
（第１の実施の形態）
図１に示すように、第１の実施の形態による排水システム１は、盛土して上方に道路を設ける際に形成されるのり面２に設置されている。ここで、本実施の形態では、排水設備２０を備えた既設ののり面２に対して排水システム１を設ける場合に適用される。
本実施の形態では、のり面２が高さ方向を複数段（図１では三段）に区分され、各段ののり面２同士の間の段状部分には略水平方向に延びる小段部Ｂが形成されている。また、のり面２の最上部には路面Ｃが設けられており、のり尻には側道Ｄが設けられている。
【００１９】
小段部Ｂには、排水設備２０としてコンクリート製のＵ字溝からなる横排水溝２１が小段部Ｂの延長方向に沿って設けられている。小段部Ｂにおける既設の排水設備２０では、小段部Ｂに流入する雨水が横排水溝２１に受け入れられて一方側（図１で紙面右側）に向けて流れて排出される。
【００２０】
側道Ｄには、排水設備２０としてコンクリート製のＵ字溝からなるのり尻排水溝２２（側溝）がのり尻に沿って設けられている。側道Ｄの路肩部分は、のり尻排水溝２２に雨水が流れ込むようにのり尻排水溝２２側に向けて下り傾斜となっている。側道Ｄにおける既設の排水設備２０では、側道Ｄ及び最下部に位置するのり面２から流入する雨水がのり尻排水溝２２に受け入れられて一方側（図１で紙面右側）に向けて流れて排出される。
【００２１】
最上部に位置する路面Ｃには、のり面２との路肩部分に集水枡２３が設けられている。路面Ｃの路肩部分は、集水枡２３に雨水が流れ込むように集水枡２３側に向けて下り傾斜となっている。
【００２２】
集水枡２３には、流入する雨水に混じる不要物を取り除くためのフィルタ（図示省略）が設けられている。このフィルタは、バースクリーン等の透水性部材からなり、落ち葉等の固形物を分離できるように構成され、路面Ｃの集水桝２３の上流側に設けられている。
【００２３】
排水システム１は、路面Ｃの排水を上下方向に延在する排水管路１０を使用してのり尻排水溝２２に排水する構成である。排水管路１０には、のり尻排水溝２２に合流する排水の合流部Ｐに合流用管路１１が配設されている。
【００２４】
排水管路１０は、耐光性の樹脂管からなり、上端１０ａが路面Ｃの集水枡２３にサイフォン誘発器１２を介して接続され、下端１０ｂが合流用管路１１に接続されている。排水管路１０は、のり面２及び小段部Ｂの表面に沿うようにして地上部分に配設されている。なお、排水管路１０の下端１０ｂの位置は、本実施の形態では上面視で排水管路１０の管軸方向Ｃ１が変わる最下端の位置とされる（図４及び図５（ａ）参照）。排水管路１０の上端１０ａは、図２及び図３に示すように、地中に埋設され、サイフォン誘発器１２を介して上向きに延びて集水枡２３の底面に接続されている。
このように、本実施の形態の排水システム１では、集水枡２３に流入した雨水のみを排水管路１０内を流通させてのり尻排水溝２２に排水するシステムであって、小段部Ｂに設けられる横排水溝２１内の雨水は本排水システム１とは別系統で排水される。
【００２５】
ここで、耐光性の排水管路１０として、例えば、耐光性塩ビ管、黒顔料を配合したＰＥ樹脂管等や、耐光性樹脂を外層に被覆した樹脂管路を使用できる。
また、排水管路１０に耐光性樹脂を外層に被覆した樹脂管路として、例えば、ＡＥＳを被覆した塩ビ管、耐光性塩ビを被覆した塩ビ管、耐光性塗料を塗布した塩ビ管、黒顔料を配合したＰＥ樹脂を被覆したＰＥ管、耐光性塗料を塗布した強化プラスチック管等が挙げられる。
【００２６】
サイフォン誘発器１２は、樹脂製からなり、図２に示すように、集水桝２３の底面２３ａに凹部を設けたものであり、この凹部を満水状態にすることでサイフォン作用を発生させるように設けられている。すなわち、サイフォン誘発器１２は、サイフォン誘発器１２に一定以上の水位が生じたとき、このサイフォン誘発器１２に連なる排水管路１０の上端１０ａ内が水で満たされて、排水管路１０にサイフォンを発生させることができる。なお、サイフォン誘発器１２は、樹脂製であることに限定されず、金属製等の部材であってもよい。
また、別の構成のサイフォン誘発器として、図３に示すように、集水桝２３の底面２３ａに接続される排水管路１０の落し口に蓋部材１２１を設けた構成のサイフォン誘発器１２Ａを採用することも可能である。
【００２７】
このようなサイフォン誘発器１２を備えたサイフォン式の排水管路１０においては、管内でサイフォン現象を発生させることにより、管内を自然流下させて排水するときよりも高流速にでき、排水処理能力を増加させて効率よくのり尻排水溝２２に排水することができる。
これにより、豪雨の場合であっても路面Ｃ上の雨水が流入される集水枡２３が溢れることがなく、路面Ｃの雨水がのり面２を伝って下方に流出することを抑えることができる。そのため、小段部Ｂの横排水溝２１は直上ののり面２と当該小段部Ｂの雨水のみを処理することができ、のり面２の集水枡（図示省略）で排水が溢れにくくなる。
【００２８】
合流用管路１１は、図４に示すように、一端の接続端１１ａが排水管路１０の下端１０ｂに接続され、他端の排水端１１ｂがのり尻排水溝２２内に位置するように配置されている。合流用管路１１の管軸方向Ｃ２は、図５（ａ）及び図６（ａ）に示すように、のり尻排水溝２２内の排水の流れ方向Ｅ（紙面で左から右へ向かう方向）に対して、上面視において上流から下流に向けて６０度以下の流入角度（これを水平流入角度θ１という）で合流するように設定されている。
図５（ａ）に示す例では、合流用管路１１の管軸方向Ｃ２は排水管路１０の管軸方向Ｃ１に対して、上面視で直交する方向に配置され、すなわち排水の流れ方向Ｅと同じ方向となり水平流入角度θ１（図５（ａ）では不図示）が０度となっている。また、図６（ａ）に示す例では、水平流入角度θ１が３０度となっている。
【００２９】
また、合流用管路１１の管軸方向Ｃ２は、図５（ｂ）及び図６（ｂ）に示すように、のり尻排水溝２２内の排水の流れ方向Ｅ（紙面で左から右へ向かう方向）に対して、流れ方向Ｅに直交する側面視において水平以下で下向きとなり、かつのり尻排水溝２２内の流れ方向Ｅに対して７５度以下の流入角度（これを上下流入角度θ２という）で合流する。図５（ｂ）に示す例では、上下流入角度θ２が３０度となっている。また、図６（ｂ）に示す例では、上下流入角度θ２が４５度となっている。
【００３０】
なお、本実施の形態では、合流用管路１１が、排水管路１０と別体で設けられた構成としているが、一体に設けられていてもよい。つまり、排水管路１０の下端部分の合流部Ｐにおいて、少なくとも上面視において水平流入角度θ１が６０度以下で、さらに側面視にいて上下流入角度θ２が水平以下でかつのり尻排水溝２２内の流れ方向Ｅに対して７５度以下に曲げた形状とする構成であってもよい。この場合には、排水管路１０のうち曲げた部分から下流側の排水端１１ｂまでが合流部Ｐであり、本発明の合流用管路に相当する。
【００３１】
次に、上述した排水システム１の作用について図面を用いて詳細に説明する。
本実施の形態による排水システム１では、図１に示すように、路面Ｃの排水を排水管路１０を通過させ、のり尻排水溝２２との合流部Ｐに配設された合流用管路１１を介して排水をのり尻排水溝２２に効率よく排水することができる。
このとき、合流用管路１１の管軸方向Ｃ２をのり尻排水溝２２内の排水の流れ方向Ｅに対して、上面視で６０度以下（図５（ａ）では０度、図６（ａ）では３０度）の水平流入角度θ１とすることで、排水管路１０内の排水がのり尻排水溝２２内の排水に対して流れが妨げられることを抑えた効率的な合流となる。すなわち、合流用管路１１とのり尻排水溝２２との合流部Ｐにおいて、合流による水量以上に大きく水位が上がったり、乱流となってのり尻排水溝２２から排水が溢れ出してしまうことを防ぐことができる。
【００３２】
また、本実施の形態の排水システム１は、配管を主体とした簡単な構成であり、施工する際には従来のようなＵ字溝等の重量物を運搬する作業が不要となり、容易に、かつ低コストで施工を行うことができる。
【００３３】
また、本実施の形態では、図１に示すように、サイフォン誘発器１２を接続した排水管路１０を用いて路面Ｃの排水をサイフォン作用により効率よくのり尻排水溝２２に排水することができる。つまり、本実施の形態では、サイフォン誘発器１２として、例えば排水管路１０の内面に突起を設けたり、内面を縮径することによってサイフォン現象を起こすものを採用でき、このようなサイフォン式の排水管路内でサイフォン現象を発生させることにより、管内を自然流下させて排水するときよりも高流速にでき、排水処理能力を増加させて効率よく排水することができる。これにより、豪雨の場合であってものり面２の小段部Ｂに設けられている横排水溝２１から雨水が溢れ出ることがなく、雨水がのり面２に浸透することを効果的に抑制することができる。
さらに、本実施の形態では、サイフォン式の排水管を採用することで、排水を高流速化し、排水管路１０の口径を小さくしても排水処理量を得ることができる利点もある。
【００３４】
また、本実施の形態の排水システム１では、排水管路１０の上端部分が地中に埋設され、排水管路１０のうち地上に配置される部分を少なくすることができるため、地上で排水管路１０を支持する支持具やこの支持具を固定する基礎等の支持構造を簡単にすることができ、あるいは省略することができる。
さらに、本実施の形態では、地中に埋設される部分の排水管路１０を紫外線から保護することでき、排水管路１０の耐久性を向上させることが可能となる。
【００３５】
また、本実施の形態では、排水管路１０が耐光性を有する樹脂で構成されているので、排水管路１０を屋外で長期にわたって使用することが可能となり、排水管路１０を地表面に設置することができる。そのため、地中に埋設する場合に比べてのり面２における掘削作業を減らすことができ、施工を容易に行うことができる。
【００３６】
（第２の実施の形態）
次に、図７に示すように、本発明の第２の実施の形態による排水システム１Ａについて、図面に用いて説明する。
第２の実施の形態による排水システム１Ａは、最上段（１段目）の小段部Ｂに設けられる集水枡２４に流入した排水を上下方向に延在する排水管路１０Ａを使用して直接、のり尻排水溝２２に排水する構成である。排水管路１０Ａには、上述した第１の実施の形態と同様にのり尻排水溝２２に合流する排水の合流部Ｐに合流用管路１１が配設されている。
本実施の形態では、排水管路１０Ａを有する排水システム１Ａと、排水管路１０Ａとは別系統となる後述する縦排水溝２５と、の２系統によりのり尻排水溝２２に排水する構成となっている。
【００３７】
本実施の形態の既設の排水設備２０としては、コンクリート製のＵ字溝からなり小段部Ｂの延長方向に沿って設けられた横排水溝２１と、のり面２の上下方向に沿って配置され各横排水溝２１に対して接続するとともに、のり尻排水溝２２に接続するコンクリート製のＵ字溝からなる縦排水溝２５と、集水枡２４と、を有している。
【００３８】
小段部Ｂに設けられる集水桝２４は、底面が横排水溝２１の底面の位置よりも低く設定されている。また、集水枡２４は、横排水溝２１の内部、及び縦排水溝２５の内部と連通している。
小段部Ｂに設けられる集水枡２４に雨水を流入させる上流側の横排水溝２１に対して集水枡２４を挟んで反対側に設けられる下流側の横排水溝２１は、当該集水枡２４から離れる方向に下り勾配となっており、当該集水枡２４に雨水が流れ込まないようになっている。この下流側の横排水溝２１の内面には、集水枡２４寄りの位置において集水桝２４内の水位を高めるための堰（図示省略）が設けられている。
【００３９】
排水管路１０Ａは、耐光性の樹脂管からなり、上端１０ａが上から１段目の小段部Ｂの集水枡２４に上述した図２及び図３に示すサイフォン誘発器１２、１２Ａを介して接続され、下端１０ｂが合流用管路１１に接続されている。排水管路１０Ａは、のり面２及び小段部Ｂの表面に沿うようにして地上部分に配設されている。
【００４０】
各小段部Ｂに位置する集水桝２４には、路面Ｃにある集水枡２３内の排水が縦排水溝２５を通じて流入するとともに、最上段の小段部Ｂに設けられる横排水溝２１内の排水が流入し、さらに縦排水溝２５により下方の集水枡２４又はのり尻排水溝２２に排水される。
また、最上段の小段部Ｂに位置する集水桝２４内に流入する雨水の多くは排水管路１０Ａによりのり尻排水溝２２まで排水される。そのため、最上段に設けられる集水枡２４から下方に向けて流れる縦排水溝２５内の排水量は大幅に減少することになる。つまり、上から２段目の小段部Ｂの集水枡２４には１段目の小段部Ｂからの排水が減量され、縦排水溝２５から合流するため、２段目の小段部Ｂから下方に延びる縦排水溝２５内を流れる排水量が減少される。
【００４１】
（第３の実施の形態）
次に、図８及び図９に示す本発明の第３の実施の形態による排水システム１Ｂは、上述した第１の実施の形態においてサイフォン誘発器の構成を代えたものである。すなわち、第３の実施の形態のサイフォン誘発器１２Ｂは、路面Ｃと最上段の小段部Ｂとの間にのり面２に沿う排水管路１０の中間部分に設けられている。そして、排水管路１０のサイフォン誘発器１２Ｂの上方に位置する上端１０ａは、図９に示すように、地中に埋設され、上向きに延びて路面Ｃに設けられる集水枡２３の底面２３ａに接続されている。
サイフォン誘発器１２Ｂは、内径を絞る突起やリング状のプレートによる縮径等の効果により排水管路１０内の排水を溜め、排水管路１０が満管になったときサイフォン現象を発生させる構成となっている。
【００４２】
本第３の実施の形態の場合も、路面Ｃ上を流れる雨水は、集水枡２３を介してサイフォン誘発器１２Ｂを備えた排水管路１０のサイフォン作用により効率よくのり尻排水溝２２に排水される。
【００４３】
（第４の実施の形態）
次に、図１０に示す本発明の第４の実施の形態による排水システム１Ｃは、上述した図７に示す第２の実施の形態においてサイフォン誘発器の構成を代えたものである。すなわち、第４の実施の形態のサイフォン誘発器１２Ｂは、最上段の小段部Ｂと２段目の小段部Ｂとの間ののり面２に沿う排水管路１０Ａの中間部分に設けられている。そして、排水管路１０Ａのサイフォン誘発器１２Ｂの上方に位置する上端１０ａは、地中に埋設され、上向きに延びて最上段の小段部Ｂに設けられる集水枡２４の底面２４ａに接続されている。
本第４の実施の形態の場合も、最上段の小段部Ｂの集水枡２４内の雨水は、サイフォン誘発器１２Ａを備えた排水管路１０Ａのサイフォン作用により効率よくのり尻排水溝２２に排水される。
【００４４】
次に、上述した実施の形態による排水システムの効果を裏付けるために行った実施例について以下説明する。
【００４５】
（実施例）
本実施例は、図１１に示すように、上述の実施の形態の排水管路の下端に設けられる合流用管路を模擬した試験体５を用い、側溝内の水の流れ方向に対して、上面視及び側面視で上流から下流に向けた流入角度（水平流入角度θ１、上下流入角度θ２）が及ぼす影響を合流直前の水位によりその効果を確認した。
【００４６】
試験体５は、大型の雨樋を側溝５１として使用し、この側溝５１内で上流から下流に向かう流れ方向Ｅに流れる水Ｗ１に対して、内径が約５０ｍｍの合流用管路５２から排水される排水Ｗ２を合流させる構造とした。側溝５１には約４リットル／秒の流量の水Ｗ１を流し、合流用管路５２から排水させる排水Ｗ２を約０．５リットル／秒の流量とした。
そして、本試験では、水平流入角度θ１を変えた第１試験と、上下流入角度θ２を変えた第２試験の二つの試験を実施し、それぞれ側溝５１において合流用管路５２との合流部手前で最大の水位となる部分の水位（図１１及び図１４に示す合流部水位Ｈ）を測定した。
【００４７】
第１試験では、図１１、図１２、及び図１３に示すように、合流用管路５２の水平流入角度θ１を０度、３０度、４５度、６０度、９０度の５ケース（ケース２〜６）と、合流用管路５２の排水Ｗ２を合流させない１ケース（ケース１）の計６ケースで試験を行った。第１試験における上下流入角度θ２は、０度としている。ここで、図１２は上面視で合流用管路５２の水平流入角度θ１が３０度の場合を示し、図１１は同じく０度の場合を示している。
【００４８】
【表１】
2019124069.tif 000003
【００４９】
表１に示すように、第１試験の結果、水平流入角度θ１が３０度〜６０度（ケース３〜５）では、０度（ケース６）と同等で合流部水位Ｈが５〜７ｃｍとなり、合流なし（ケース１）の４ｃｍの水位に対して１〜３ｃｍ程度の水位上昇に抑えられることが確認された。水平流入角度θ１が６０度を超える場合（ケース２）では、合流部水位Ｈが７ｃｍを超える場合があり、合流により側溝５１から水が溢れる可能性があることが確認された。これにより、水平流入角度θ１は、０〜６０度（６０度以下）の範囲が好ましいことが確認できた。
【００５０】
次に、第２試験では、図１４及び図１５に示すように、合流用管路５２の上下流入角度θ２を０度、４５度、６０度、７５度、９０度の５ケース（ケース２〜６）と、水平以上で３０度の１ケース（ケース７）と、さらに合流用管路５２の排水Ｗ２を合流させない１ケース（ケース１）と、の計７ケースで試験を行った。第２試験における水平流入角度θ１は、０度としている。ここで、図１４は側面視で合流用管路５２の上下流入角度θ２が４５度の場合を示している。
【００５１】
【表２】
2019124069.tif 000004
【００５２】
表２に示すように、第２試験の結果、上下流入角度θ２が０度〜７５度では、合流部水位Ｈが５〜７ｃｍとなり、合流なし（ケース１）の４ｃｍの水位に対して１〜３ｃｍ程度の水位上昇に抑えられることが確認された。上下流入角度θ２が９０度の場合（ケース２）では、合流部水位Ｈが８ｃｍを超える場合があり、合流により側溝５１から水が溢れる可能性があることが確認された。これにより、上下流入角度θ２は水平以下で９０度未満が好ましいことが確認できた。
そして、サイフォン作用により流速が増えると、実施例の結果、さらに顕著になると考えられる。
【００５３】
以上、本発明による排水システムの実施の形態について説明したが、本発明は上記の実施の形態に限定されるものではなく、その趣旨を逸脱しない範囲で適宜変更可能である。
例えば、本実施の形態の排水システム１、１Ａ〜１Ｃでは、排水管路１０、１０Ａ、１０Ｂの少なくとも一部にサイフォン誘発器１２、１２Ａ、１２Ｂを備えた構成としているが、サイフォン誘発器を設ける構成であることに限定されることはなく、サイフォン誘発器を省略することも可能である。
【００５４】
また、本実施の形態では、排水管路１０、１０Ａ、１０Ｂの少なくとも一部が地中に埋設された構成とているが、排水管路全体が地上に配設されていてもよい。例えば、既設の縦排水溝に沿って排水管路を埋設したり地上に配設することで、排水管路の位置決めや固定がしやすくなる。
【００５５】
さらに、本実施の形態では、排水管路が耐光性を有する樹脂により形成されるものを対象としているが、このような耐光性の樹脂であることに限定されることはない。
【００５６】
その他、本発明の趣旨を逸脱しない範囲で、上記した実施の形態における構成要素を周知の構成要素に置き換えることは適宜可能である。
【符号の説明】
【００５７】
１、１Ａ〜１Ｃ  排水システム
２  のり面
１０、１０Ａ、１０Ｂ  排水管路
１１  合流用管路
１１ａ  接続端
１１ｂ  排水端
１２、１２Ａ、１２Ｂ  サイフォン誘発器
２１  横排水溝
２２  のり尻排水溝（のり尻の側溝）
２３、２４  集水桝
２５  縦排水溝
Ｂ  小段部
Ｃ  路面
Ｄ  側道
Ｐ  合流部
Ｅ  排水の流れ方向
Ｃ１  排水管路の管軸方向
Ｃ２  合流用管路の管軸方向
θ１  水平流入角度
θ２  上下流入角度
【図１】
2019124069.tif 000005
【図２】
2019124069.tif 000006
【図３】
2019124069.tif 000007
【図４】
2019124069.tif 000008
【図５】
2019124069.tif 000009
【図６】
2019124069.tif 000010
【図７】
2019124069.tif 000011
【図８】
2019124069.tif 000012
【図９】
2019124069.tif 000013
【図１０】
2019124069.tif 000014
【図１１】
2019124069.tif 000015
【図１２】
2019124069.tif 000016
【図１３】
2019124069.tif 000017
【図１４】
2019124069.tif 000018
【図１５】
2019124069.tif 000019